(57)【要約】【課題】  スライド扉の移動を頻繁に繰り返すと押え付け部が擦れて形状変化し、顕著に摩擦力が低下することにより、スライド扉重量とスプリングコイルの引っ張る力のバランスが崩れて、扉が浮き上がったり、下がったりしてスライド扉の停止位置を保持することができなくなっていた。【解決手段】  本発明では、前面に開口部を備える食器棚において、前記開口部にガイド溝を備え、前記ガイド溝を上下にスライドするスライド扉と、前記スライド扉自体に備えられた落下防止機構と、前記落下防止機構を補助する補助機構とからなることを特徴とする食器棚。【選択図】  図４
2007254978.tif 000002
【特許請求の範囲】
【請求項１】
前面に開口部を備える食器棚において、
前記開口部にガイド溝を備え、前記ガイド溝を上下にスライドするスライド扉と、
前記スライド扉自体に備えられた落下防止機構と、前記落下防止機構を補助する補助機構とからなることを特徴とする食器棚。
【請求項２】
前記落下防止機構が前記ガイド溝への押さえつけ手段であり、かつ前記スライド扉の上下にそれぞれ備えられ、また前記補助機構が前記押さえつけ手段のそれぞれ対応する位置に配置されるシートであることを特徴とする請求項１記載の食器棚。
【発明の詳細な説明】
【技術分野】
【０００１】
本発明は、上下方向にスライドする扉（昇降扉ユニット）を前面に備えた食器棚に関するものであり、特に昇降扉ユニット枠体が小型化された扉の落下防止機構が備わっている昇降扉ユニットにおいて、上下方向の各所定位置で確実に扉を保持する食器棚に関する発明である。 
【背景技術】
【０００２】
従来、上下方向にスライドする扉（昇降扉ユニット）を開閉扉に用いた食器棚がある。このような上下スライド扉を用いた構造として、枠体の厚さ方向に設けられた２つのガイド溝に、それぞれ枠体全高の約１／２の高さに形成された前方側スライド扉と後方側スライド扉とが、ワイヤの吊下げ部材で収納された（嵌め込まれた）扉構造がある。そして、吊下げ部材と滑車を介してスプリングコイルと連結された各スライド扉が対応するガイド溝内を上下昇降して開閉することにより、収納物品を出し入れするようにしている。
【０００３】
このような昇降扉ユニットでは、吊下げ部材により両スライド扉を任意の高さに開口位置調整したときに、吊下げ部材をロックしなくてもスライド扉を開口調整位置に停止可能に保持して、収納品の出し入れができるようするため、小型コンパクトかつ軽量安価な枠体を保つことができる落下防止機構を備え付ける場合がある。
【０００４】
具体的には、スライド扉の上下端位置に落下防止機構が固定されており、この落下防止機構には昇降扉ユニット枠体内に設けられたスライドレールガイド溝幅よりも広い大きさに設定された弓型円弧状形態をした押さえつけ部を有している。スライドレールガイド溝にスライド扉を嵌め込むと、押さえつけ部が弾性変形した反力でガイド溝と密接し、摩擦力により扉の停止状態を保持できる機構である。
【０００５】
スライド扉を移動させる操作力を小さくするために、この落下防止機構の押さえつけ部は扉を停止保持できる最小限の摩擦力になるように設定するのが望ましい。しかし、スライド扉の移動を頻繁に繰り返すと押え付け部が擦れて形状変化し、顕著に摩擦力が低下することにより、スライド扉重量とスプリングコイルの引っ張る力のバランスが崩れて、扉が浮き上がったり、下がったりしてスライド扉の停止位置を保持することができなくなっていた。
【特許文献１】特開２００３−１３６６１号公報
【発明の開示】
【発明が解決しようとする課題】
【０００６】
本発明は、上記問題を解決するためになされたもので、本発明の課題は所定の位置に扉が確実に停止保持することができ、且つ、安価で組立作業性に優れた昇降扉ユニットの扉押さえ機構を備えた食器棚を提供することにある。
【課題を解決するための手段】
【０００７】
上記目的を達成するために請求項１記載の発明によれば、
前面に開口部を備える食器棚において、
前記開口部にガイド溝を備え、前記ガイド溝を上下にスライドするスライド扉と、
前記スライド扉自体に備えられた落下防止機構と、前記落下防止機構を補助する補助機構とからなることを特徴とする食器棚とした。
よって補助機構により落下防止機構の能力を向上させ、扉をより所定の位置で保持できることとした。
【０００８】
また、請求項２記載の発明のよれば、
前記落下防止機構が前記ガイド溝への押さえつけ手段であり、かつ前記スライド扉の上下にそれぞれ備えられ、また前記補助機構が前記押さえつけ手段のそれぞれ対応する位置に配置されるシートであることを特徴とする食器棚とした。
よって、シートが１枚で複数の落下防止機構に対応することが出来便利であり、構造も簡素化できる。
【発明の効果】
【０００９】
本発明によれば、シートを昇降扉ユニット枠体内のスライドレールガイド溝に対し、スライド扉が上方に最大限移動している状態の下部落下防止機構の押さえつけ部と、スライド扉が下方に最大限移動しても上部落下防止機構の押さえつけ部の接触する位置に１ヶ所設けることにより、スライド扉が最上方に移動した位置と最下方に移動した異なった位置で静止保持力を強くすることが出来る。
【発明を実施するための最良の形態】
【００１０】
以下、本発明の実施の形態を図面に示す実施例を参照して説明する。図１は本発明の一実施例である食器棚の斜視図を示す。この食器棚１は、内部に食器類を収納する収納庫を構成し、その前面に食器類の収納・取出しのための上下スライド開閉式の昇降扉ユニット２が設けられている。
【００１１】
図２に昇降扉ユニット正面図および図３に昇降扉ユニット側面図を示す。また図４昇降扉ユニット側面詳細図を示す。この昇降扉ユニット２は、前後方向に５本設けられ、かつ上下方向に延びるスライドレール１５を備えた枠体１０と、その枠体１０内を上下昇降するスライド扉２０を２つ備えている。本実施例では上部にあるスライド扉２０Ｆが手前側に配置されており、下部にあるスライド扉２０Ｒが奥側に配置されている。なおスライド扉２０はそれ自体の落下を阻止する落下防止機構６０（詳細は後述）を備えている。なおここで、以下の実施例の記載では、枠体１０の厚さ方向において食器棚１の設置側を後方側、その反対側を前方側と称し、左側、右側というときは正面図における向きを指す。
【００１２】
枠体１０は、アルミ製の左右の縦枠１１，１２、上枠１３、下枠１４によって正面視縦長の矩形状に組み立てられており、各枠１１，１２，１３，１４の内面の前半部には、内側に向かって起立する３本のガイドレール１５が各々形成されている。そして、隣接するガイドレール１５の各対向面（以下、レール対向面という）１５ａの間に形成された２つのガイド溝１６に、それぞれ枠体１０の全高の約１／２の高さに形成されたスライド扉２０Ｆとスライド扉２０Ｒとが嵌め込まれている。
【００１３】
スライド扉２０Ｆとスライド扉２０Ｒともに、左右の縦枠１１，１２に形成された上下方向に延びるガイドレール１５をスライド案内用レールとして、その間に形成されたガイド溝１６に沿って枠体１０内を上下昇降するスライド扉２０を構成している。なお、以下においてスライド扉２０というときは、スライド扉２０Ｆ、スライド扉２０Ｒを含んで用いる。
【００１４】
スライド扉２０を任意の高さ位置に停止可能に保持するためにスライド扉２０の吊り下げ支持する滑車４１と、スライド扉２０を上方に引張るように付勢するコイルスプリング５０（付勢部材）とを有している。
【００１５】
具体的には、一端側が右側縦枠１２の内側面に固定ピン等の固定部材４５Ｆにより固定されたワイヤ４４は、動滑車４３Ｆから定滑車４１Ｆに順次巻き掛けられ、他端側が後述する上部落下防止機構６０Ｔのリール部６１ｆを介してスライド扉２０Ｆに固定される。コイルスプリング５０の上端は動滑車４３Ｆの吊り下げ部５１Ｆに接続され、コイルスプリング５０の下端は固定具５２Ｆにより枠体１０に固定されている。叉、一端側が右側縦枠１２の内側面に固定ピン等の固定部材４５Ｒにより固定されたワイヤ４４は、動滑車４３Ｒから定滑車４１Ｒに順次巻き掛けられ、上部落下防止機構６０Ｔのリール部６１ｆを介してスライド扉２０Ｒに固定される。コイルスプリング５０の上端は動滑車４３Ｒの吊り下げ部５１Ｒに接続され、コイルスプリング５０の下端は固定具５２Ｒにより枠体１０に固定されている。
【００１６】
次に、スライド扉２０Ｆ及びスライド扉２０Ｒの上下スライド扉は次のように作動する。図１に示すようなスライド扉２０Ｆの閉鎖状態において、スライド扉２０Ｆの把手２１を持って下方向に少し力を加えると、スライド扉２０Ｆと連結しているワイヤ４４を介してコイルスプリング５０を伸長させながら、スライド扉２０Ｆを下方向にスライドして枠体１０の上半分を開放することができる。このとき、この行程の途中で下方向への加圧を中止すると、既述のコイルスプリング５０の引張力とスライド扉２０Ｆの重量との釣り合い関係及びスライド扉２０Ｆとスライドレール１５との間の摩擦等によって、スライド扉２０Ｆは任意の高さ位置に停止しその状態を保持する。
【００１７】
図１に示すようなスライド扉２０Ｒの閉鎖状態においてスライド扉２０Ｒの把手２１を持って上方向に少し力を加えると、スライド扉２０Ｒは、ワイヤ４４を介して連結されたコイルスプリング５０を収縮させながら、スライド扉２０Ｒの上面が上枠１３に接するまで上方向にスライドして枠体１０の下半分を開放することができる。なお、スライド扉２０Ｆと同様に、スライド扉２０Ｒは任意の高さ位置に停止可能な状態を保持される。
【００１８】
互いに対向するスライド扉２０（スライド扉２０Ｆ又はスライド扉２０Ｒ）の外側面と枠体１０の内側面とのうちの一方の面（実施例ではスライド扉２０Ｆ及びスライド扉２０Ｒの外側面）に落下防止機構６０が固定され、スライド扉２０Ｆ又はスライド扉２０Ｒの落下を阻止するようにされている。
【００１９】
落下防止機構６０はガイド溝１６の溝幅方向のほぼ中央位置を通るように、レール対向面１５ａに対してそれぞれ接触する押さえつけ部６１ｄが形成されている。この押さえつけ部６１ｄは、ガイド溝１６の溝幅よりも狭く形成され、溝幅方向に二又の弧を描きつつ膨出する弓型円弧状形態を有している。そして、押さえつけ部６１ｄはレール対向面１５ａとの接触により弾性変形してガイド溝１６の溝幅内に挿入され、弾性変形した反力でガイド溝１６と密接した摩擦力によりスライド扉２０は保持される。また、落下防止機構６０をガイド溝１６から取り外したとき、押さえつけ部６１ｄは弾性復帰して、その最大幅が溝幅よりも大となるように設定されている。なお、上部落下防止機構６０Ｔは円筒状又は円柱状のリール部６１ｆが形成されており、このリール部６１ｆにワイヤ４４の一端が巻き付け固定される。
【００２０】
落下防止機構６０はスライド扉２０Ｆとスライド扉２０Ｒの各上下位置に上部落下防止機構６０Ｔと下部落下防止機構６０Ｂが備えてある。さらに、スライド扉２０がガイド溝１６に沿って上方向に最大限移動している状態の下部落下防止機構６０Ｂの位置と、下方向に最大限移動している状態の上部落下防止機構６０Ｔの位置とを同一場所に設定している。
【００２１】
さらにその同一場所のスライドレール１５（ガイド溝１６）の面にシート７０が密着して付いている。
【００２２】
このシート７０はスライド扉２０が上方に最大限移動している状態の下部落下防止機構６０Ｂの押さえつけ部６１ｄと接触するスライドレール１５（ガイド溝１６）の位置に設けてあり、スライド扉２０が下方に最大限移動しても上部落下防止機構６０Ｔの押さえつけ部６１ｄと接触する構造である。
【００２３】
また、シート７０の厚さは、ガイド溝１６の溝幅を狭くするように設定してあり、落下防止機構６０が接触すると押さえつけ部６１ｄの弾性力が増し、且つ、摩擦抵抗を増幅しスライド扉２０の静止保持力が強くなる機構である。
【００２４】
シート７０を上記で述べた位置に１ヶ所設けることにより、スライド扉２０が最上方に移動した位置と最下方に移動した異なった位置で静止保持力を強くすることが出来る。
【００２５】
このため、スライド扉２０が最上方に移動した位置とスライド扉２０が最下方に移動した位置の２ヶ所にシート７０を設ける必要がなく、組立作業の簡素化が図れる。
【図面の簡単な説明】
【００２６】
【図１】本発明の一実施例である食器棚の昇降扉ユニットの斜視図。
【図２】本発明の一実施例である食器棚の昇降扉ユニットの正面図。
【図３】本発明の一実施例である食器棚の昇降扉ユニットの右側面図。
【図４】本発明にかかるシートの作動説明図。
【符号の説明】
【００２７】
１ 食器棚（物品収納キャビネット）
２ 昇降扉ユニット
１０ 枠体
１５ スライドレール
１６ ガイド溝
２０ スライド扉
２０Ｆ スライド扉
２０Ｒ スライド扉
４１ 滑車
４１Ｆ 定滑車
４１Ｒ 定滑車
４３Ｆ 動滑車
４３Ｒ 動滑車
４４ ワイヤ（吊下げ部材）
５０ コイルスプリング（付勢部材）
６０ 落下防止機構
６０Ｔ 上部落下防止機構
６０Ｂ 下部落下防止機構
６１ｄ 押さえつけ部
６１ｆ リール部
７０ シート
【図１】
2007254978.tif 000003
【図２】
2007254978.tif 000004
【図３】
2007254978.tif 000005
【図４】
2007254978.tif 000006